(57)【特許請求の範囲】
【請求項１】
デジタルマルチメディア放送の放送コンテンツ及び前記放送コンテンツによる両方向通信のための着信情報を含む放送信号が伝送されるデジタルマルチメディア放送システムにおいて、
前記放送信号を受信・再生すると共に、前記着信情報による放送コンテンツを放送するデジタルマルチメディア放送局に、ユーザーにより入力されたユーザーメッセージと現在の位置情報とを伝送するユーザー提報デジタルマルチメディア放送受信端末と、
前記放送信号を放送すると共に、前記ユーザー提報デジタルマルチメディア放送受信端末から前記ユーザーメッセージ及び位置情報を受け取り、前記ユーザーメッセージと前記位置情報とに基づいて取り出された地域固有情報とともに前記位置情報に関する隣接地域情報を含む地域情報を生成して前記放送コンテンツの放送信号に含める前記デジタルマルチメディア放送局と、
前記放送信号を受信する少なくとも１台の受信者デジタルマルチメディア放送受信端末と、
を備え、
前記デジタルマルチメディア放送局は、前記受け取ったユーザーメッセージを選択し、前記受け取ったユーザーメッセージが２以上である場合、既に設定されている条件に応じて、一定数分のユーザーメッセージを取り出し、前記取り出された少なくとも１つのユーザーメッセージを選択することを特徴とする、ユーザー提報を放送するためのデジタルマルチメディア放送システム。
【請求項２】
前記位置情報は、前記ユーザー提報デジタルマルチメディア放送受信端末が存在している地域の基地局固有情報であり、
前記地域固有情報は、前記ユーザー提報デジタルマルチメディア放送受信端末が存在する地域の基地局固有情報であることを特徴とする、請求項１に記載のユーザー提報を放送するためのデジタルマルチメディア放送システム。
【請求項３】
前記位置情報は、前記ユーザー提報デジタルマルチメディア放送受信端末が存在している地域の基地局固有情報であり、
前記地域固有情報は、前記ユーザー提報デジタルマルチメディア放送受信端末が存在する地域及びそれと隣り合う地域の基地局固有情報であることを特徴とする、請求項１に記載のユーザー提報を放送するためのデジタルマルチメディア放送システム。
【請求項４】
前記ユーザー提報デジタルマルチメディア放送受信端末は、さらに、
前記ユーザーの選択によるイメージを前記ユーザーメッセージに含めて前記デジタルマルチメディア放送局に伝送することを特徴とする、請求項１に記載のユーザー提報を放送するためのデジタルマルチメディア放送システム。
【請求項５】
前記ユーザー提報デジタルマルチメディア放送受信端末は、
現在位置している地域の基地局から基地局固有情報を地域固有情報として受け取り、これを前記位置情報として保存するための位置情報保存部と、
前記放送信号をパースして前記着信情報を取り出すためのＴＳパケット逆多重化部と、
前記取り出された着信情報を保存するための着信情報保存部と、
前記ユーザーからユーザーメッセージが入力されて、前記位置情報保存部に保存されている前記位置情報と共に、前記着信情報保存部に保存されている着信情報に基づく前記デジタルマルチメディア放送局に伝送するように制御する制御部と
を備えることを特徴とする、請求項２または３に記載のユーザー提報を放送するためのデジタルマルチメディア放送システム。
【請求項６】
前記少なくとも１つの受信者デジタルマルチメディア放送受信端末は、
前記デジタルマルチメディア放送局から前記地域情報が含まれている放送信号を受け取る場合、前記地域情報に含まれている少なくとも１種の地域固有情報のうち、現在前記デジタルマルチメディア放送受信端末に保存されている位置情報に整合される地域固有情報がある場合、前記地域情報に含まれているユーザーメッセージを出力することを特徴とする、請求項２または３に記載のユーザー提報を放送するためのデジタルマルチメディア放送システム。
【請求項７】
前記デジタルマルチメディア放送局は、前記ユーザーメッセージと前記位置情報とを前記ユーザー提報デジタルマルチメディア放送局から受け取り、その受け取ったユーザーメッセージを選択するユーザーメッセージ受信部と、
前記位置情報に対応する地域に隣り合う地域の地域固有情報を取り出すために、各地域の地域固有情報が保存されている地域固有情報保存部と、
前記地域固有情報保存部から前記位置情報に基づく地域固有情報を取り出し、前記ユーザーメッセージ受信部において選択されたユーザーメッセージと前記取り出された地域固有情報とを含む地域情報を生成する地域情報生成部と、
前記着信情報に対応する放送コンテンツに、前記地域情報が含まれている放送信号を生成する放送信号生成部と
を備えることを特徴とする、請求項２または３に記載のユーザー提報を放送するためのデジタルマルチメディア放送システム。
【請求項８】
前記ユーザーメッセージ受信部は、一定の時間中に受け取った前記ユーザーメッセージが２以上である場合、前記受け取ったユーザーメッセージのうち、既に設定されている条件に応じて、一定数分のユーザーメッセージを取り出す取出部をさらに備えることを特徴とする、請求項７に記載のユーザー提報を放送するためのデジタルマルチメディア放送システム。
【請求項９】
前記取出部は、前記受け取ったユーザーメッセージのうち、イメージが含まれているユーザーメッセージを優先して、前記一定数分のユーザーメッセージを取り出すことを特徴とする、請求項８に記載のユーザー提報を放送するためのデジタルマルチメディア放送システム。
【請求項１０】
前記取出部は、前記受け取ったユーザーメッセージのうち、受信時刻が最も早い順番に前記一定数分のユーザーメッセージを選択して取り出すことを特徴とする、請求項８に記載のユーザー提報を放送するためのデジタルマルチメディア放送システム。
【請求項１１】
前記ユーザー提報デジタルマルチメディア放送受信端末は、さらに、
前記ユーザーメッセージに前記ユーザーが既に設定されているニックネーム情報を含めて伝送することを特徴とする、請求項１に記載のユーザー提報を放送するためのデジタルマルチメディア放送システム。
【請求項１２】
前記デジタルマルチメディア放送局は、前記地域情報に含まれているユーザーメッセージに前記ニックネーム情報が含まれている場合、前記ユーザーメッセージの発信者情報として、前記ニックネーム情報を記述することを特徴とする、請求項１１に記載のユーザー提報を放送するためのデジタルマルチメディア放送システム。
【請求項１３】
デジタルマルチメディア放送の放送コンテンツ及び前記放送コンテンツの着信情報が含まれている放送信号を放送するデジタルマルチメディア放送局が、ユーザー提報マルチメディア放送受信端末から送られてくるユーザーメッセージを、前記ユーザーメッセージと共に、受け取った位置情報に基づく地域に位置しているデジタルマルチメディア放送受信端末に放送する方法において、
前記デジタルマルチメディア放送局が、前記受け取ったユーザーメッセージを選択するユーザーメッセージの選択ステップと、
前記デジタルマルチメディア放送局が、前記ユーザーメッセージ及び位置情報を受け取ると、前記位置情報に基づく少なくとも１つの地域固有情報を取り出す地域固有情報の取出しステップと、
前記デジタルマルチメディア放送局が、前記取り出された少なくとも１つの地域固有情報とともに前記位置情報に関する隣接地域情報及び前記ユーザーメッセージが含まれている地域情報を生成する地域情報の生成ステップと、
前記デジタルマルチメディア放送局が、前記生成された地域情報が前記着信情報に対応する放送コンテンツに含まれている放送信号を生成して放送する放送ステップと
を含み、
前記選択ステップは、
前記デジタルマルチメディア放送局が、前記受け取ったユーザーメッセージが２以上である場合、既に設定されている条件に応じて、一定数分のユーザーメッセージを取り出す取出しステップと、
前記デジタルマルチメディア放送局が、前記取り出された少なくとも１つのユーザーメッセージを選択するユーザーメッセージの選択ステップと
を含むことを特徴とする、ユーザー提報を放送するためのデジタルマルチメディアの放送方法。
【請求項１４】
前記取出しステップは、
前記デジタルマルチメディア放送局が、前記受け取ったユーザーメッセージのうち、イメージが含まれているユーザーメッセージを優先して、前記既に設定されている数分のユーザーメッセージを取り出すことを特徴とする、請求項１３に記載のユーザー提報を放送するためのデジタルマルチメディアの放送方法。
【請求項１５】
前記取出しステップは、
前記デジタルマルチメディア放送局が、前記受け取ったユーザーメッセージのうち、受信時刻が早い順番に前記既に設定されている数分のユーザーメッセージを取り出すことを特徴とする、請求項１３に記載のユーザー提報を放送するためのデジタルマルチメディアの放送方法。
【請求項１６】
前記位置情報は、前記ユーザー提報マルチメディア放送受信端末が位置している地域の基地局固有情報であることを特徴とする、請求項１３に記載のユーザー提報を放送するためのデジタルマルチメディアの放送方法。
【請求項１７】
前記地域固有情報の取出しステップは、
前記デジタルマルチメディア放送局が、前記位置情報に基づく地域の基地局固有情報を確かめる位置情報の確認ステップと、
前記デジタルマルチメディア放送局が、前記位置基地局固有情報に基づく地域に隣り合う地域の基地局固有情報を取り出す隣接地域固有情報の取出しステップと
を含むことを特徴とする、請求項１６に記載のユーザー提報を放送するためのデジタルマルチメディアの放送方法。
【請求項１８】
前記地域情報の生成ステップは、
前記デジタルマルチメディア放送局が、前記ユーザーメッセージに前記ユーザー提報デジタルマルチメディア放送受信端末のユーザーが設定したニックネーム情報を含んでいるかどうかをチェックするニックネーム情報のチェックステップと、
前記デジタルマルチメディア放送局が、前記ユーザーメッセージに前記ニックネーム情報が含まれている場合、前記ユーザーメッセージの発信者情報に前記ニックネーム情報を記述するニックネーム情報の記述ステップと、
前記ニックネーム情報が前記発信者情報として表示されているユーザーメッセージの表示ステップと、
前記取り出された少なくとも１つの地域固有情報が含まれている地域情報を生成するニックネーム入り地域情報の生成ステップと
を含むことを特徴とする、請求項１３に記載のユーザー提報を放送するためのデジタルマルチメディアの放送方法。
【請求項１９】
デジタルマルチメディア放送の放送コンテンツ及び前記放送コンテンツの着信情報が含まれている放送信号をデジタルマルチメディア放送局から受け取るユーザー提報マルチメディア放送受信端末が、ユーザーが入力したユーザーメッセージを、前記ユーザー提報マルチメディア放送受信端末の位置情報に基づく地域に位置している受信者デジタルマルチメディア放送受信端末に放送するために、前記デジタルマルチメディア放送局に伝送する方法において、
前記ユーザー提報マルチメディア放送受信端末が、前記放送信号から前記着信情報を取り出す着信情報の取出しステップと、
前記ユーザー提報マルチメディア放送受信端末が、現在位置している地域の基地局から前記基地局の基地局固有情報を受け取る位置情報の受信ステップと、
前記ユーザー提報マルチメディア放送受信端末が、現在位置している地域の基地局固有情報及び前記ユーザーメッセージを前記デジタルマルチメディア放送局に伝送するユーザーの提報ステップと
を含み、
前記デジタルマルチメディア放送局は、前記受け取ったユーザーメッセージを選択し、前記受け取ったユーザーメッセージが２以上である場合、既に設定されている条件に応じて、一定数分のユーザーメッセージを取り出し、前記取り出された少なくとも１つのユーザーメッセージを選択することを特徴とする、ユーザー提報を放送するためのデジタルマルチメディアの放送方法。
【請求項２０】
前記ユーザー提報マルチメディア放送受信端末が、前記ユーザーが設定したニックネーム情報が存在するかどうかをチェックするニックネームのチェックステップと、
前記ユーザー提報マルチメディア放送受信端末が、前記ニックネーム情報がある場合、前記ユーザーメッセージに前記ニックネーム情報を含めて伝送するニックネーム情報の埋込みステップと
をさらに含むことを特徴とする、請求項１９に記載のユーザー提報を放送するためのデジタルマルチメディアの放送方法。
【請求項２１】
受信者デジタルマルチメディア放送受信端末が、デジタルマルチメディア放送局から、前記ユーザー提報マルチメディア放送受信端末が与えたメッセージを有する地域情報が含まれている放送信号を受け取って、前記地域情報を与える方法において、
前記受信者デジタル放送受信端末が、前記放送信号から前記地域情報を取り出す地域情報の取出しステップと、
前記受信者デジタル放送受信端末が、前記地域情報に含まれている地域固有情報と現在の位置情報とを比較して、前記地域固有情報のうち前記位置情報に整合されるものがあるかどうかをチェックする整合有無のチェックステップと、
前記受信者デジタル放送受信端末が、前記整合チェック結果に基づき、前記地域情報に含まれているメッセージを出力する出力ステップと
を含み、
前記デジタルマルチメディア放送局は、前記受け取ったユーザーメッセージを選択し、前記受け取ったユーザーメッセージが２以上である場合、既に設定されている条件に応じて、一定数分のユーザーメッセージを取り出し、前記取り出された少なくとも１つのユーザーメッセージを選択することを特徴とする、ユーザー提報を放送するためのデジタルマルチメディアの放送方法。
【請求項２２】
前記位置情報は、前記受信者デジタル放送受信端末が現在位置している地域の基地局固有情報であることを特徴とする、請求項２１に記載のユーザー提報を放送するためのデジタルマルチメディアの放送方法。
【請求項２３】
前記整合チェックステップは、前記受信者デジタル放送受信端末が、前記地域固有情報のうち、前記位置情報に整合される地域固有情報があるかどうかをチェックするステップであることを特徴とする、請求項２２に記載のユーザー提報を放送するためのデジタルマルチメディアの放送方法。
【請求項２４】
前記出力ステップは、
前記受信者デジタル放送受信端末が、前記整合チェック結果に基づき、前記地域情報に含まれているメッセージを出力する出力ステップと、
前記受信者デジタル放送受信端末が、前記地域情報に含まれているメッセージが２以上である場合、前記多数のメッセージのうち、ユーザーの選択によるメッセージを出力するメッセージの選択出力ステップと
を含むことを特徴とする、請求項２１に記載のユーザー提報を放送するためのデジタルマルチメディアの放送方法。
【請求項２５】
前記メッセージの選択出力ステップは、
前記受信者デジタル放送受信端末が、前記メッセージのうちいずれか１つを選択するために設定されたキーの入力有無に応じて、前記ユーザーの選択によるメッセージを検索することを特徴とする、請求項２４に記載のユーザー提報を放送するためのデジタルマルチメディアの放送方法。
【発明の詳細な説明】
【技術分野】
【０００１】
本発明は、デジタルマルチメディア放送に係り、さらに詳しくは、交通放送などのデジタルマルチメディアの放送に際して、ユーザーから受け取ったメッセージを放送することに関する。
【背景技術】
【０００２】
通常、デジタルマルチメディア放送とは、従来のアナログ放送に代えて、高画質と高音質、また、より高品質のサービスをユーザーに提供する放送サービスのことを言う。さらに、近年、デジタル放送技術及び移動通信技術の発達に伴い、移動中であっても、デジタル放送を視聴可能にするためのデジタル放送サービスへの関心が高くなりつつある。これにより、現在、移動端末に、無指向性のデジタルマルチメディア放送受信アンテナ及び上記アンテナを介して受け取ったデジタルマルチメディア放送信号を復号・再生可能な機能を持たせて、ユーザーが移動中であっても、上記デジタルマルチメディア放送を視聴可能にしている。以下、上記のデジタルマルチメディア放送信号を受信・再生可能な移動端末をデジタルマルチメディア放送受信端末と称する。
【０００３】
この種のデジタルマルチメディア放送は、通常の放送番組に加えて、交通情報などを専門的に放送する情報チャンネルなどを含む。上記交通情報チャンネルの場合、特定の時刻に全体の地域の交通情報などを包括的に提供し、一般的な放送と同様に、既に設定されている時刻に放送される。ところが、この交通情報チャンネルの場合、緊急な状況が生じたとき、これを速やかに把握して、その地域のユーザーに知らせることが必要である。ところが、従来の交通情報チャンネルの場合、ユーザーまたは警察の申告の受付などを通じてのみ、上記生じている緊急な状況に関する情報が得られるようになっている。
【０００４】
しかしながら、この場合、ユーザーが上記緊急な状況に関する情報または現在の交通状態に関する情報を、上記交通情報を放送する放送局に提報するためには、ユーザーが自ら上記放送局の電話番号を入力して上記放送局に電話をかけなければならなかった。また、上記放送局も、上記ユーザーの提報が虚偽申告であるかどうかを把握するために、時間を要していた。これにより、実際に緊急な状況が生じたとしても、上記緊急な状況に関する情報が他のユーザーに知られるまでは長時間かかるという不都合がある。
【０００５】
さらに、上記交通情報チャンネルの場合、一部の地域に緊急な状況が生じたとしても、これを含む包括的な交通情報または速報の形でこれを放送していた。これにより、上記緊急な状況が生じていない地域のユーザーであっても、自分とは何ら関係のない地域の交通情報まで視聴してしまうという不都合がある。
【発明の開示】
【発明が解決しようとする課題】
【０００６】
そこで、本発明の目的は、緊急な状況が生じた場合であっても、ユーザーが、一層手軽に緊急な状況についての提報を行うことのできるデジタルマルチメディア放送システム及び方法を提供するところにある。
【０００７】
また、本発明の他の目的は、ユーザーに、自分の地域に該当する交通情報のみを提供可能にするデジタルマルチメディア放送システム及び方法を提供するところにある。
【課題を解決するための手段】
【０００８】
前述の目的を達成するために、本発明に係るシステムは、デジタルマルチメディア放送の放送コンテンツ及び上記放送コンテンツによる両方向通信のための着信情報を含む放送信号が伝送されるデジタルマルチメディア放送システムにおいて、上記放送信号を受信・再生すると共に、上記着信情報による放送コンテンツを放送するデジタルマルチメディア放送局に、ユーザーにより入力されたユーザーメッセージと現在の位置情報とを伝送するユーザー提報デジタルマルチメディア放送受信端末と、上記放送信号を放送すると共に、上記ユーザー提報デジタルマルチメディア放送受信端末から上記ユーザーメッセージ及び位置情報を受け取り、上記ユーザーメッセージと上記位置情報とに基づいて取り出された地域固有情報を含む地域情報を生成して上記放送コンテンツの放送信号に含める上記デジタルマルチメディア放送局と、を備えることを特徴とする。
【０００９】
前述の目的を達成するために、本発明に係る方法は、デジタルマルチメディア放送の放送コンテンツ及び上記放送コンテンツの着信情報が含まれている放送信号を放送するデジタルマルチメディア放送局が、ユーザー提報マルチメディア放送受信端末から送られてくるユーザーメッセージを、上記ユーザーメッセージと共に、受け取った位置情報に基づく地域に位置しているデジタルマルチメディア放送受信端末に放送する方法において、上記デジタルマルチメディア放送局が、上記受け取ったユーザーメッセージを選択するユーザーメッセージの選択ステップと、上記デジタルマルチメディア放送局が、上記ユーザーメッセージ及び位置情報を受け取ると、上記位置情報に基づく少なくとも１つの地域固有情報を取り出す地域固有情報の取出しステップと、上記デジタルマルチメディア放送局が、上記取り出された少なくとも１つの地域固有情報及び上記ユーザーメッセージが含まれている地域情報を生成する地域情報の生成ステップと、上記デジタルマルチメディア放送局が、上記生成された地域情報が上記着信情報に対応する放送コンテンツに含まれている放送信号を生成して放送する放送ステップと、を含むことを特徴とする。
【００１０】
前述の目的を達成するために、本発明に係る他の方法は、デジタルマルチメディア放送の放送コンテンツ及び上記放送コンテンツの着信情報が含まれている放送信号をデジタルマルチメディア放送局から受け取るユーザー提報マルチメディア放送受信端末が、ユーザーが入力したユーザーメッセージを、上記ユーザー提報マルチメディア放送受信端末の位置情報に基づく地域に位置しているデジタルマルチメディア放送受信端末に放送するために、上記デジタルマルチメディア放送局に伝送する方法において、上記ユーザー提報マルチメディア放送受信端末が、上記放送信号から上記着信情報を取り出す着信情報の取出しステップと、上記ユーザー提報マルチメディア放送受信端末が、現在位置している地域の基地局から上記基地局の基地局固有情報を受け取る位置情報の受信ステップと、上記ユーザー提報マルチメディア放送受信端末が、現在位置している地域の基地局固有情報及び上記ユーザーメッセージを上記デジタルマルチメディア放送局に伝送するユーザーの提報ステップと、を含むことを特徴とする。
【００１１】
前述の目的を達成するために、本発明に係るさらに他の方法は、デジタルマルチメディア放送受信端末が、デジタルマルチメディア放送局から、上記ユーザー提報マルチメディア放送受信端末が与えたメッセージを有する地域情報が含まれている放送信号を受け取って、上記地域情報を与える方法において、上記デジタル放送受信端末が、上記放送信号から上記地域情報を取り出す地域情報の取出しステップと、上記デジタル放送受信端末が、上記地域情報に含まれている地域固有情報と現在の位置情報とを比較して、上記地域固有情報のうち上記位置情報に整合されるものがあるかどうかをチェックする整合有無のチェックステップと、上記デジタル放送受信端末が、上記整合チェック結果に基づき、上記地域情報に含まれているメッセージを出力する出力ステップと、を含むことを特徴とする。
【発明の効果】
【００１２】
本発明によれば、緊急な状況が生じたとき、ユーザーが一層手軽に緊急な状況についての提報を行うことができ、これを受け取るユーザーが自分の地域に当たる交通情報のみを提供されることができる。これにより、この地域情報を受け取ったデジタルマルチメディア放送受信端末のユーザーは、上記地域情報から、上記提報事項についての正確で且つ迅速な情報を一層手軽に得ることが可能になる。
【発明を実施するための最良の形態】
【００１３】
以下、添付した図面に基づき、本発明に係る好適な実施の形態を詳細に説明する。本発明を説明するに当たって、関連する公知の機能あるいは構成についての詳細な説明が本発明の要旨を余計に曖昧にすると認められる場合、その詳細な説明を省く。
【００１４】
先ず、本発明への理解を容易にするために、本発明の基本原理について述べる。本発明においては、緊急な状況が生じたとき、ユーザーがデジタルマルチメディア放送信号から取り出された着信情報として、上記緊急な状況についての提報内容が含まれているメッセージ及びデジタルマルチメディア放送受信端末（以下、「端末」と称する。）に保存されている位置情報をデジタルマルチメディア放送局（以下、「放送局」と称する。）に伝送する。すると、上記放送局は、上記ユーザーメッセージ及び位置情報を受け取り、上記ユーザーの位置に基づく地域を把握し、上記地域の緊急な状況についての提報として、上記ユーザーメッセージを保存する。ここで、上記緊急な状況とは、各種の交通状況についての問題を含むものであり、車両同士の接触事故または交通混雑や渋滞などを含む。
【００１５】
上記保存されているユーザーメッセージと上記位置情報とに基づく地域の地域固有情報及び隣り合う地域の地域固有情報を当該地域の地域情報として生成し、これを放送信号に含めて伝送する。すると、上記地域情報を受け取った端末は、上記受け取った放送信号から当該地域情報を取り出し、上記地域情報に含まれている地域固有情報のうち、現在端末に保存されている位置情報と同じ位置情報がある場合、上記ユーザーの選択によって、上記地域情報をユーザーに与える。
【００１６】
図１は、この種の本発明の実施の形態によるデジタルマルチメディア放送システムの例を示す図である。
【００１７】
図１を参照すると、放送局１０２からデジタルマルチメディア放送信号を受け取る端末Ａ１００が、緊急な状況１０８が生じたとき、上記生じた緊急な状況を提報するためにメッセージを作成する。このようにしてメッセージを作成すると、端末Ａ１００は、現在保存されているＡ地域１０６の基地局Ａ１０４から受け取ったＡ地域１０６の地域固有情報を位置情報として、上記メッセージと共に上記放送局１０２に伝送する。ここで、上記メッセージには、ユーザーが選択したイメージが含まれていてもよい。このとき、上記位置情報は、上記基地局Ａ１０４の基地局ＩＤ情報であってもよい。
【００１８】
ここで、本発明の実施の形態による端末Ａ１００は、上記位置情報及び上記ユーザーメッセージを伝送するために、デジタルマルチメディア放送衛星１２２から受け取った放送信号に含まれている着信情報を利用する。
【００１９】
ここで、着信情報とは、デジタルマルチメディアの放送に際し、上記デジタルマルチメディア放送コンテンツのコンテンツプロバイダーと上記ユーザーとの両方向通信を行うために、両者を接続するための情報のことである。ここで、上記放送コンテンツとは、放送局１０２において放送される放送番組などを言う。
【００２０】
一般に、デジタルマルチメディア放送は、ホームショッピングチャンネルなどにおいて、デジタルマルチメディア放送の視聴者が上記デジタルマルチメディア放送の視聴中に興味のある製品を直ちに購買するか、あるいは、製品に関する情報を要請できるサービスを提供する。このために提供されるものが、上記着信情報である。
【００２１】
上記放送局１０２は、放送信号に現在放送中の放送コンテンツによる着信情報を含めて伝送する。一般に、この種の着信情報は、電子番組ガイド（ＥＰＧ：Electronic Program Guide）のＳＤＴ（Service Description Table）またはＥＩＴ（Event Information Table）のＴｅｌｅｐｈｏｎｅ＿ｄｅｓｃｒｉｐｔｏｒに載せられて放送される。このようなＥＩＴのＴｅｌｅｐｈｏｎｅ＿ｄｅｓｃｒｉｐｔｏｒは、ヨーロッパ通信標準研究所（ＥＴＳＩ：European Telecommunications Standards Institute）に定義されている。下記表１は、このようなＥＴＳＩのＥＮ３００４６８に定義されているＥＩＴ Ｔｅｌｅｐｈｏｎｅ＿ｄｅｓｃｒｉｐｔｏｒの例を示している。
【００２２】
【表１】
0004472683.tif 000002
【００２３】
上記表１中、着信情報の記述には、ｃｏｕｎｔｒｙ＿ｐｒｅｆｉｘ＿ｃｈａｒ、ｉｎｔｅｒｎａｔｉｏｎａｌ＿ａｒｅａ＿ｃｏｄｅ＿ｃｈａｒ、ｏｐｅｒａｔｏｒ＿ｃｏｄｅ＿ｃｈａｒ、ｎａｔｉｏｎａｌ＿ａｒｅａ＿ｃｏｄｅ＿ｃｈａｒ、ｃｏｒｅ＿ｎｕｍｂｅｒ＿ｃｈａｒなどの項目が用いられる。ここで、上記ｃｏｕｎｔｒｙ＿ｐｒｅｆｉｘ＿ｃｈａｒには、上記着信情報の対象、すなわち、上記コンテンツプロバイダーが位置している国名に関する情報が含まれ、ｉｎｔｅｒｎａｔｉｏｎａｌ＿ａｒｅａ＿ｃｏｄｅ＿ｃｈａｒには、上記表１の項目のうち、ｆｏｒｅｉｇｎ＿ａｖａｉｌａｂｉｌｉｔｙの値が１である場合に限って、上記国名に関する国際番号が含まれる。また、ｏｐｅｒａｔｏｒ＿ｃｏｄｅ＿ｃｈａｒとｎａｔｉｏｎａｌ＿ａｒｅａ＿ｃｏｄｅ＿ｃｈａｒは、互いに排他的に用いられるが、ここで、上記ｏｐｅｒａｔｏｒ＿ｃｏｄｅ＿ｃｈａｒは、上記コンテンツプロバイダーが移動通信端末を用いる場合に、上記コンテンツプロバイダーが加入しているサービス事業者の番号、すなわち、０１１などの情報が含まれる項目であり、ｎａｔｉｏｎａｌ＿ａｒｅａ＿ｃｏｄｅ＿ｃｈａｒは、上記コンテンツプロバイダーが移動通信端末ではなく、有線電話機などを用いる場合、上記有線電話機などの地域番号が含まれる項目である。また、ｃｏｒｅ＿ｎｕｍｂｅｒ＿ｃｈａｒには、国際番号と上述の地域番号またはサービス事業者などを除く上記コンテンツプロバイダーの固有情報が含まれる。下記表２は、これらの項目が記述されている例を示している。
【００２４】
【表２】
0004472683.tif 000003
【００２５】
このため、上記表２に示すＥＩＴのＴｅｌｅｐｈｏｎｅ＿ｄｅｓｃｒｉｐｔｏｒを受け取ると、デジタルマルチメディア放送受信端末は、上記項目から、「０８２−０３２−２２３−３９３２」を取り出し、これを着信情報として保存する。
【００２６】
ここで、上記放送局１０２の放送コンテンツが交通放送番組である場合、上記放送コンテンツのコンテンツプロバイダーは、上記交通放送番組を提供する放送局１０２自身となる。このため、以下の説明においては、上記コンテンツプロバイダーが、上記図１における放送局１０２であるとして説明を進める。
【００２７】
コンテンツプロバイダー、すなわち、本発明の実施の形態による放送局１０２は、緊急な状況１０８についての提報、すなわち、上記端末Ａ１００から受け取ったユーザーメッセージ及び上記端末Ａ１００の位置情報を受け取ると、上記受け取った位置情報に基づき、上記端末Ａ１００が位置している地域を把握し、上記端末Ａ１００が位置しているＡ地域１０６の地域固有情報及び上記Ａ地域１０６に隣り合うＢ地域１１０の基地局Ｂ１１２の固有情報及びＣ地域１１６の基地局Ｃ１１８の地域固有情報を読み込む。読み込まれた地域固有情報と上記受け取ったユーザーメッセージとを含む地域情報を生成する。上記放送局１０２は、現在放送されている放送信号に上記地域情報を含めて放送する。これにより、本発明の実施の形態によるデジタルマルチメディア放送システムにおいては、放送局１０２から与えられる放送信号に、ユーザーから提報されたユーザーメッセージ及び地域固有情報が含まれる。ここで、上記放送局１０２は、受け取ったユーザーメッセージが多数である場合、それらの中で、一定の数のユーザーメッセージを既に設定されている条件に応じて取り出すこともできる。
【００２８】
すると、上記デジタルマルチメディア放送衛星１２２から上記地域情報が含まれている放送信号を受け取った端末Ｂ１１４及び端末Ｃ１２０は、受け取った放送信号をパースする。上記放送信号に地域情報が含まれている場合、現在保存されている位置情報と上記地域情報に含まれている地域固有情報とを互いに比較する。また、上記地域情報に含まれている地域固有情報のうち、互いに整合される地域固有情報がある場合、ユーザーに上記地域情報が受け取られていることを知らせる。もし、ユーザーが上記地域情報の提供を選択する場合、ユーザーに上記地域情報を与える。
【００２９】
図２は、本発明の実施の形態による放送局１０２のブロック構成図である。
【００３０】
図２を参照すると、本発明の実施の形態による放送局１０２は、ユーザーメッセージ受信部２００、地域固有情報保存部２０２、地域情報生成部２０４、放送信号生成部２０６、及び多重化部２０８を備える。
【００３１】
ここで、上記ユーザーメッセージ受信部２００は、上記緊急な状況が生じたとき、これを提報するためのユーザーメッセージ及び上記位置情報を受け取る。また、当該受け取ったユーザーメッセージ及び位置情報を地域情報生成部２０４に入力する。ここで、上記ユーザーメッセージ受信部２００は、上記受け取った位置情報に基づき、上記ユーザーメッセージを分類することもできる。もし、上記受け取ったユーザーメッセージが多数である場合、既に設定されている条件に応じて、一定数分のユーザーメッセージを取り出すこともできる。ここで、上記既に設定されている条件の例を挙げると、イメージの包含有無、または受信時刻などであってもよい。
【００３２】
この場合、上記ユーザーメッセージ受信部２００は、取出部２１０を備えて、上記受け取ったメッセージのうち、イメージが含まれているユーザーメッセージのみを取り出すか、あるいは、上記受け取ったユーザーメッセージを受信時刻によって分類して、受信時刻が早い順番に、既に設定されている数分のユーザーメッセージを取り出すこともできる。
【００３３】
上記地域情報生成部２０４は、上記ユーザーメッセージ及び位置情報を受け取った場合、上記位置情報に基づく地域固有情報及び上記位置情報に基づく地域の隣接地域に関する地域固有情報を取り出す。これを、上記図１を参照して説明すると、上記地域情報生成部２０４は、上記位置情報に基づく地域固有情報が基地局Ａ１０４の固有情報であれば、上記基地局Ａ１０４の固有情報のみならず、隣り合う地域の基地局である基地局Ｂ１１２及び基地局Ｃ１１８の固有情報を取り出す。上記取り出された地域固有情報及び上記ユーザーメッセージを含む地域情報を生成する。
【００３４】
すると、上記地域情報生成部２０４は、生成された地域情報を放送信号生成部２０６に出力する。すると、本発明の実施の形態による放送信号生成部２０６は、上記地域情報生成部２０４から入力された地域情報を現在放送されている放送コンテンツの放送信号に含めて伝送する。そして、これを多重化部２０８に出力する。
【００３５】
すると、上記多重化部２０８は、上記地域情報が含まれている放送信号を多重化して、デジタルマルチメディア放送衛星１２２に伝送する。すると、上記地域情報が含まれている放送信号は、上記デジタルマルチメディア放送衛星１２２を介して端末Ａ１００、端末Ｂ１１４、及び端末Ｃ１２０に放送される。
【００３６】
図３は、本発明の実施の形態によるデジタルマルチメディア放送受信端末のブロック構成図である。ここで、本発明の実施の形態によるデジタルマルチメディア放送受信端末は、図１における端末Ａ１００、端末Ｂ１１４、端末Ｃ１２０のいずれも含む。
【００３７】
本発明の実施の形態による端末は、メモリ部３０６、キー入力部３０８、表示部３１０、ベースバンド処理部３１４、コーデック（ＣＯＤＥＣ：Coder-Decoder）３１６、そして、ＴＳパケット逆多重化部２０８が制御部３００に接続される。ここで、上記制御部３００は、端末Ａ１００の各部を制御する。ユーザーのキー入力をキー入力部３０８から受け取り、これに基づいて表示部３１０を制御して、ユーザーのキー入力に基づく画像情報が生成されて提供されるようにする。
【００３８】
制御部３００は、モデムモジュール３０４及びＤＭＢモジュール３０２を備える。ここで、上記モデムモジュール３０４は、電話通話やデータ通信、無線インターネット接続のためのプロトコルによって、音声信号及びデータ処理を行う。この現在位置している地域の基地局から、上記基地局の固有情報を受け取り、これを位置情報としてメモリ部３０６に保存する。また、本発明の実施の形態によれば、ユーザーが作成したメッセージと上記位置情報とを放送局１０２に伝送する。
【００３９】
さらに、上記ＤＭＢモジュール３０２は、上記放送局１０２から映像、オーディオ、情報データを含むデジタルマルチメディア放送信号を受け取り、上記映像データのデコードのためのＤＭＢ映像デコーダ及び上記オーディオデータをデコードするためのＤＭＢオーディオデコーダを備えて、デコードされたデジタルマルチメディア放送信号の出力を制御する。また、ユーザーが選択したチャンネルに基づく放送信号を受け取り、当該デジタルマルチメディア放送コンテンツを再生して出力する。さらに、上記放送コンテンツに含まれている着信情報を取り出す。本発明の実施の形態によれば、上記放送信号に上記地域情報が含まれている場合、上記地域情報に含まれている地域固有情報と上記メモリ部３０６に保存されている位置情報とを比較する。さらに、上記位置情報が上記地域固有情報に含まれている場合、上記地域情報がある旨をユーザーに知らせる。さらに、ユーザーが上記地域情報の出力を選択する場合、上記地域情報に含まれているメッセージまたはイメージを上記表示部３１０に出力する。
【００４０】
さらに、上述の制御部３００と接続されるメモリ部３０６は、現在上記モデムモジュール３０４を介して保存される上記位置情報を保存する。さらにまた、デジタルマルチメディア放送信号の受信時に与えられる放送コンテンツに含まれている着信情報を保存する。以下、上記位置情報が保存されるメモリ部３０６のエリアを位置情報保存部３２２と称し、上記着信情報が保存されるメモリ部３０６のエリアを着信情報保存部３２４と称する。
【００４１】
このメモリ部３０６は、読み込み専用メモリ（ＲＯＭ：Read Only Memory）、フラッシュメモリ、ランダムアクセスメモリ（ＲＡＭ：Random Access Memory）などにより構成される。これらの中で、ＲＯＭは、制御部２００の処理及び制御のための番組と各種の参照データとを保存する。ＲＡＭは、制御部２００のワーキングメモリを提供し、フラッシュメモリは、更新可能な各種の保管用のデータを保存するためのエリアを提供する。
【００４２】
キー入力部３０８は、上述のように、数字キーを含む各種のキーを備え、ユーザーから入力されるキー入力を制御部３００に与える。ＲＦ部３１２は、基地局に対しＲＦ信号を送受信する役割を果たす。受け取った信号をＩＦ（Intermediate Frequency）信号に変換して上述の制御部３００に接続されているベースバンド処理部３１４に出力し、ベースバンド処理部３１４から入力されるＩＦ信号をＲＦ信号に変換して送信する。ここで、上記ＲＦ部３１２は、デジタルマルチメディア放送信号を受信するための構成を含む。そして、上述のベースバンド処理部３１４は、制御部３００とＲＦ部３１２とのインタフェースを提供するＢＢＡ（Baseband Analog ＡＳＩＣ）であり、制御部３００から加えられるベースバンドのデジタル信号をアナログＩＦ信号に変換してＲＦ部３１２に加え、ＲＦ部３１２から加えられるアナログＩＦ信号をベースバンドのデジタル信号に変換して制御部３００に加える。
【００４３】
ＴＳ（Transport Stream）パケット逆多重化部２０８は、上記ＲＦ部３１２を介して上記放送信号を受け取った場合、上記放送信号のＴＳパケットを逆多重化する役割を果たす。上記ＴＳパケット逆多重化部２０８は、図示略であるが、上記ＲＦ部３１２から入力されたＴＳパケットをバッファリングするＴＳパケット受信部、受け取ったＴＳパケットを逆多重化する逆多重化部、及びＳＤＴ（Service Description）、ＰＡＴ（Program Association Table）、ＰＭＴ（Program Map Table）、ＣＡＴ（Conditional Access Table）、ＥＩＴ（Event Information Table）などの番組の詳細情報（ＰＳＩ）をパースするＰＳＩパース部などを備える。また、上記ＴＳパケット逆多重化部２０８は、上記ＲＦ部３１２から受け取ったＴＳパケットを逆多重化し、逆多重化されたＴＳパケットからＰＳＩをパースして、当該放送信号から着信情報を取り出し、上記放送信号に上記地域情報が含まれているかどうかをチェックする。そして、その結果を上記制御部３００に知らせる。
【００４４】
制御部３００に接続されているコーデック３１６は、増幅部３１８を介してマイク及びスピーカーに接続され、マイクから入力される音声信号をＰＣＭ（Pulse Code Modulation）符号化して音声データを制御部３００に出力し、制御部３００から入力される音声データをＰＣＭ復号化して、増幅部３１８を介してスピーカーに出力する。増幅部３１８は、マイクから入力される音声信号やスピーカーに出力される音声信号を増幅するが、スピーカーの音量とマイクのゲインとを制御部３００の制御によって調節する。さらに、制御部３００からデジタルマルチメディア放送信号の可聴音信号が入力される場合、これを増幅して接続中のスピーカーを介して出力する。
【００４５】
このように、本発明は、ユーザーが特定の放送コンテンツを視聴している場合に限って利用可能である。すなわち、例えば、交通情報チャンネルを介して交通放送を視聴しているユーザーが、現在ユーザーが位置している地域の交通渋滞などの状況を放送局１０２に提報することを想定すると、放送局１０２においては、上記ユーザーの提報を、上記交通チャンネルを介して同じ交通放送を視聴している視聴者のみ提供できる。以下では、この場合を想定して、上記図１における端末Ａ１００、端末Ｂ１１４、及び端末Ｃ１２０がいずれも同じ放送コンテンツを受け取っているとする。
【００４６】
図４は、本発明の実施の形態による、交通放送などの特定の放送コンテンツを受け取る端末Ａ１００が、放送局１０２にユーザーメッセージを伝送する動作の流れを示すフローチャートである。
【００４７】
図４を参照すると、本発明の実施の形態によるデジタルマルチメディア放送受信端末の制御部３００は、緊急な状況１０８が生じたとき、ユーザーが上記緊急な状況についての提報を行うための機能を選択すると、ステップＳ４００へ移り、位置情報保存部３２２に保存されている位置情報をチェックする。制御部３００は、ステップＳ４０２へ移り、上記受け取った放送信号から着信情報を取り出す。ここで、上記制御部３００は、上記表１及び表２に示すように、着信情報の記述に用いられる項目から着信情報を取り出すことができる。
【００４８】
着信情報が取り出されると、制御部３００は、ユーザーがメッセージ入力を完了したかどうかをチェックする。もし、上記ユーザーがメッセージ入力を完了した場合であれば、制御部３００は、ステップＳ４０６へ移り、上記ユーザーが選択したイメージがあるかどうかを選択する。ここで、ユーザーが選択したイメージは、図示略であるが、本発明の実施の形態によるデジタルマルチメディア放送受信端末に設けられているカメラで撮って保存しているイメージなどであってもよい。上記ステップＳ４０６において、ユーザーが選択したイメージがある場合であれば、制御部３００は、ステップＳ４０８へ移り、上記ユーザーが入力したユーザーメッセージ及び上記ユーザーが選択したイメージを上記チェックしている位置情報と共に、上記取り出された着信情報に基づいて上記放送コンテンツを放送する放送局１０２に伝送する。これにより、ユーザーは、単にメッセージだけではなく、上記生じた緊急な状況１０８をイメージとして保存して、ユーザーメッセージと共に伝送することができる。これにより、本発明の実施の形態においては、上記生じた緊急な状況１０８についてのさらに正確な情報の伝達が可能になる。
【００４９】
なお、ステップＳ上記４０６において、ユーザーが選択したイメージがなければ、制御部３００は、ステップＳ４１０へ移り、ユーザーが入力したユーザーメッセージと上記チェックされた位置情報とを上記取り出された着信情報に基づいて上記放送局１０２に伝送する。
【００５０】
ここで、上記デジタル放送受信端末から発せられるユーザーメッセージには、通常のＳＭＳ（Short Message Service）メッセージまたはＭＭＳ（Multimedia Message Service）メッセージと同様に、ユーザーの電話番号などの発信者情報が含まれる。ところが、ここで、本発明の実施の形態によるデジタル放送受信端末は、ユーザーが、もし、任意にユーザーが使用したいニックネームを予め設定しておいた場合、上記発信者情報に上記ニックネームを記述して伝送することもできる。この場合、上記のユーザーメッセージが放送局１０２により放送信号に含まれて放送されると、上記ユーザーの発信者情報に代えて、ユーザーが設定したニックネームが表示される。
【００５１】
図５は、本発明の実施の形態による、デジタルマルチメディア放送局が当該地域にデジタルマルチメディア放送受信端末から受け取ったユーザーメッセージを放送する動作の流れを示すフローチャートである。
【００５２】
図５を参照すると、デジタルマルチメディア放送信号を放送する放送局１０２は、ステップＳ５００へ移り、上記本発明の実施の形態によるデジタルマルチメディア放送受信端末から送られてくるユーザーメッセージ及び位置情報を受け取る。放送局１０２は、ステップＳ５０２へ移り、一定の時間中に同じ位置情報を持ったユーザーメッセージが２以上受け取られているかどうかをチェックする。しかしながら、もし、上記ステップＳ５０２において、同じ位置情報を持ったユーザーメッセージが一定の時間中に１つだけ受け取られている場合であれば、上記放送局１０２は、ステップＳ５０６へ移り、上記選択されたユーザーメッセージに基づく位置情報を確かめ、上記位置情報に基づく地域に隣り合う地域の地域固有情報を上記地域固有情報保存部２０２から取り出す。ここで、上記地域固有情報は、例えば、セルラー移動通信システムにおける各セルの基地局ＩＤなどであってもよい。
【００５３】
なお、上記ステップＳ５０２において、上記の位置情報を持ったユーザーメッセージが２以上である場合、放送局１０２は、ステップＳ５０４へ移り、上記受け取ったユーザーメッセージのうち、既に設定されている条件に応じて、一定数分のユーザーメッセージだけを選択する。
【００５４】
ここで、上記既に設定されている条件としては、種々のものが挙げられる。例えば、上記放送局１０２は、受け取ったユーザーメッセージのうちからさらに正確な情報を選択するために、上記ユーザーメッセージのうちイメージを備えるユーザーメッセージのみを優先して選択することもできる。また、より迅速な情報の伝達のために、上記ユーザーメッセージのうち受信時刻の早いユーザーメッセージを優先して選択することもできる。ここで、この既に設定されている条件に応じて、上記多数のユーザーメッセージのうち一定数分のユーザーメッセージを選択する動作の流れの詳細を、下記図６に示す。
【００５５】
上記放送局１０２は、ステップＳ５０６へ移り、上記選択されたユーザーメッセージに基づく位置情報を確かめ、上記位置情報に基づく地域に隣り合う地域の地域固有情報を上記地域固有情報保存部２０２から取り出す。すなわち、これを上記図１を参照して述べると、上記端末Ａ１００からユーザーメッセージ及び位置情報を受け取った場合、放送局１０２は、上記端末Ａ１００の位置情報に基づくＡ地域１０６に隣り合うＢ地域１１０及びＣ地域１１６の基地局１１２、１１８の固有情報を取り出す。
【００５６】
放送局１０２は、ステップＳ５０８へ移り、上記ステップＳ５０２からステップＳ５０６までを通じて選択された少なくとも１つのユーザーメッセージと上記取り出された少なくとも１つの地域固有情報とを含む地域情報を生成する。ここで、上記放送局１０２は、上記選択された少なくとも１つのユーザーメッセージのうち、ニックネーム情報を含むユーザーメッセージがある場合、この発信者情報に代えて、上記ニックネーム情報を記述して地域情報を生成する。放送局１０２は、ステップＳ５１０へ移り、上記生成された地域情報を、上記ユーザーメッセージが受け取った着信情報による放送コンテンツの放送信号に含めて放送する。これにより、もし、上記ユーザーメッセージが受け取った着信情報による放送コンテンツが交通放送であった場合、上記交通放送の放送信号に上記地域情報が含まれて放送される。これにより、上記ユーザーメッセージを伝送した端末が上記ユーザーメッセージの伝送時に受け取っていた放送コンテンツと同じ放送コンテンツを受け取る端末に上記地域情報が伝送される。
【００５７】
図６は、本発明の実施の形態による、デジタルマルチメディア放送局が受け取ったメッセージのうち、一定数分のユーザーメッセージを選択する動作の流れを示すフローチャートである。
【００５８】
図６を参照すると、上記図５におけるステップＳ５０２において、同じ位置情報を持ったユーザーメッセージが、一定の時間中に少なくとも２以上受け取られる場合、放送局１０２は、ステップＳ６００へ移り、上記受け取ったユーザーメッセージを受信時刻の順番に並べ替える。上記放送局１０２は、ステップＳ６０２へ移り、既に設定されている条件がどのようなものであるかをチェックする。以下、上記既に設定されている条件として、上述のように、イメージの包含有無と受信時刻を例にとって説明をする。ここで、上記既に設定されている条件は、コンテンツプロバイダーの選択によって変更可能である。
【００５９】
上記ステップＳ６０２において、上記放送局１０２が上記既に設定されている条件をチェックした結果、上記既に設定されている条件がイメージとして設定されている場合、放送局１０２は、ステップＳ６０４へ移り、上記ステップＳ６００において並べ替えられたユーザーメッセージのうち、イメージが含まれているユーザーメッセージを取り出す。放送局１０２は、ステップＳ６０６へ移り、上記取り出されたユーザーメッセージのうち、受信時刻が早い順番に、既に設定されている数分の上記ユーザーメッセージを選択する。
【００６０】
しかしながら、もし、上記ステップＳ６０２におけるチェックの結果、上記既に設定されている条件が、受信時刻であれば、放送局１０２は、ステップＳ６０８へ移り、現在受け取ったユーザーメッセージのうち、受信時刻が早い順番に、既に設定されている数分のユーザーメッセージを選択する。上記ステップＳ６０６またはステップＳ６０８において、少なくとも１つのユーザーメッセージが選択されると、放送局１０２は、ステップＳ５０６へ移り、上記選択されたユーザーメッセージに基づく位置情報を確かめ、上記位置情報に基づく地域に隣り合う地域の地域固有情報を取り出す。
【００６１】
図７は、本発明の実施の形態による、デジタルマルチメディア放送受信端末がデジタルマルチメディア放送局から受け取った地域情報を提供する動作の流れを示すフローチャートであり、図８は、本発明の実施の形態による、デジタルマルチメディア放送受信端末が受け取った地域情報をユーザーに提供するディスプレイ画面の例を示す図である。以下、上記図７及び図８を参照して、上記地域情報が受け取られる場合、上記地域情報をユーザーに与える過程を説明する。
【００６２】
先ず、図７を参照すると、本発明の実施の形態によるデジタル放送受信端末の制御部３００は、ステップＳ７００へ移り、ユーザーが選択したチャンネルの放送コンテンツに基づく放送信号を受け取る。上記制御部３００は、上記受け取った放送信号の再生・出力のために、ステップＳ７０２へ移り、上記受け取った放送信号をパースする。上記制御部３００は、ステップＳ７０４へ移り、上記受け取った放送信号に地域情報が含まれているかどうかをチェックする。
【００６３】
さらに、上記ステップＳ７０４におけるチェックの結果、上記放送信号に地域情報が含まれていれば、制御部３００は、ステップＳ７０６へ移り、上記メモリ部３０６の位置情報保存部３２２に保存されている位置情報をチェックする。制御部３００は、ステップＳ７０８へ移り、上記地域情報に含まれている地域固有情報と上記位置情報とを比較して、上記地域固有情報のうち上記位置情報に整合される地域固有情報があるかどうかをチェックする。
【００６４】
さらに、上記制御部３００は、上記ステップＳ７０８におけるチェックの結果、上記位置情報に整合される地域固有情報があれば、地域情報がある旨をユーザーに知らせる。ここで、上記地域情報がある旨をユーザーに知らせる方法としては、種々の方法が挙げられる。例えば、ポップアップウィンドウまたはアイコンなどを通じてユーザーに上記地域情報の受信を知らせる方法がありうる。
【００６５】
図８Ａは、ポップアップウィンドウ８００を介してユーザーに地域情報の受信を知らせるディスプレイ画面の例を示し、図８Ｂは、アイコン８０２を通じてユーザーに地域情報の受信を知らせるディスプレイ画面の例を示す。ここで、上記ポップアップウィンドウまたは上記アイコンは、上記ポップアップウィンドウまたはアイコンがオン／オフを繰り返し行うスヌーズ方式により、ユーザーの視認度を高めることができる。
【００６６】
上記制御部３００は、ステップＳ７１２へ移り、ユーザーが上記地域情報の確認を選択したかどうかをチェックする。そして、もし、上記ユーザーが上記地域情報の確認を選択する場合、制御部３００は、ステップＳ７１４へ移り、上記受け取った地域情報をディスプレイする。
【００６７】
ここで、上記地域情報は、上述の通り、少なくとも１以上のユーザーメッセージを含んでいてもよい。このため、上記地域情報に含まれているユーザーメッセージが２以上である場合、ユーザーは、上記ユーザーメッセージを選択的に確認することができる。この例を下記図８Ｃを参照して述べる。上記地域情報に含まれているユーザーメッセージが２以上である場合、ユーザーは、前の選択キー８０４または次の選択キー８０６を介して、多数のユーザーメッセージのうちいずれか１つを選択して確かめることができる。ここで、上記図８Ｃにおいては、前の選択キー８０４または次の選択キー８０６などを通じて所望の地域情報に含まれているユーザーメッセージを探索することを示しているが、これに限定されるものではなく、左右の矢印キーまたは＃キーと＊キーなどを任意に設定して用いてもよいことは言うまでもない。これにより、この地域情報を受け取ったデジタルマルチメディア放送受信端末のユーザーは、多数のユーザーメッセージが含まれている地域情報から、より正確な情報を得ることができる。
【００６８】
なお、本発明の詳細な説明の欄においては、具体的な実施の形態について説明したが、本発明の範囲から逸脱しない範囲内であれば、種々の変形が可能であることは言うまでもない。特に、本発明の実施の形態においては、ユーザーメッセージを放送局１０２に伝送する端末Ａ１００と、上記放送局１０２から上記ユーザーメッセージが含まれている地域情報を受け取る端末Ｂ１１４と、端末Ｃ１２０が交通放送を受け取る場合を例として挙げているが、本発明が単に交通放送という放送コンテンツに制限されるものではない。すなわち、例えば、本発明は、スポーツ放送などの特定の分野を専門的に放送する放送コンテンツの場合、当該放送コンテンツを視聴する多数のユーザーが情報を共有するためにも適用可能であることはいうまでもない。よって、本発明の範囲は、上述した実施の形態に限定されるものではなく、特許請求の範囲とその均等物によって定められるべきである。
【図面の簡単な説明】
【００６９】
【図１】本発明の実施の形態によるデジタルマルチメディア放送システムの例示図。
【図２】本発明の実施の形態によるデジタルマルチメディア放送局のブロック構成図。
【図３】本発明の実施の形態によるデジタルマルチメディア放送受信端末のブロック構成図。
【図４】本発明の実施の形態による、デジタルマルチメディア放送受信端末が放送局にユーザーメッセージを伝送する動作の流れを示すフローチャート。
【図５】本発明の実施の形態による、デジタルマルチメディア放送局が、当該地域にデジタルマルチメディア放送受信端末から受け取ったユーザーメッセージを放送する動作の流れを示すフローチャート。
【図６】本発明の実施の形態による、デジタルマルチメディア放送局が受け取ったメッセージのうち、一定数分のユーザーメッセージを選択する動作の流れを示すフローチャート。
【図７】本発明の実施の形態による、デジタルマルチメディア放送受信端末が、デジタルマルチメディア放送局から受け取った地域情報を提供する動作の流れを示すフローチャート。
【図８】本発明の実施の形態による、デジタルマルチメディア放送受信端末が、受け取った地域情報をユーザーに与えるディスプレイ画面の例示図。
【符号の説明】
【００７０】
１００：端末Ａ
１０２：放送局
１０４：基地局Ａ   
１０６：Ａ地域
１０８：緊急な状況
１１０：Ｂ地域
１１２：基地局Ｂ
１１４：端末Ｂ
１１６：Ｃ地域
１１８：基地局Ｃ
１２０：端末Ｃ
１２２：デジタルマルチメディア放送衛星
【図１】
0004472683.tif 000004
【図２】
0004472683.tif 000005
【図３】
0004472683.tif 000006
【図４】
0004472683.tif 000007
【図５】
0004472683.tif 000008
【図６】
0004472683.tif 000009
【図７】
0004472683.tif 000010
【図８】
0004472683.tif 000011